(57)【要約】【課題】食品の中への投入が容易であり、包装に手間がかからず、開封時には簡単に開封できる食品包装袋を提供することを目的とする。【解決手段】食品包装袋１は、略正方形状の２枚のプラスチックシートである第１シート２および第２シート３を重ね合わせており、第１辺５およびこれに隣接する第２辺６において辺に沿って第１シート２と第２シート３が接続されている辺部接続部９と、第１辺５と第２辺６が交わる第１角部４において頂部よりも内側で第１シート２と第２シート３が接続されている角部接続部１０と、第１角部４の頂部において第１シート２と第２シート３が接続されていない非接続部１１と、第３辺７およびこれに隣接する第４辺８において第１シート２および第２シート３が接続されていない開口部とが設けられている。【選択図】図１
2018020834.tif 000002
【特許請求の範囲】
【請求項１】
略正方形状の２枚のプラスチックシートである第１シートおよび第２シートを重ね合わせており、
第１辺およびこれに隣接する第２辺において辺に沿って第１シートおよび第２シートが接続されている辺部接続部と、第１辺と第２辺が交わる第１角部において頂部よりも内側で第１シートと第２シートが接続されている角部接続部と、第１角部の頂部において第１シートと第２シートが接続されていない非接続部と、第３辺およびこれに隣接する第４辺において第１シートと第２シートが接続されていない開口部とが設けられている食品包装袋。
【請求項２】
角部接続部は辺部接続部の端部につながりシートの外に向いて凸な凸部と、凸部の端部から頂部へ向かって形成されたシートの内に向いて凸な凹部とを有し、
第１辺または第２辺のいずれかには第１シートまたは第２シートのいずれかが辺部の外に突き出た単層部を有する請求項１に記載の食品包装袋。
【発明の詳細な説明】
【技術分野】
【０００１】
この発明は、食品を包装するためのプラスチックフィルム製の食品包装体に関する。
【背景技術】
【０００２】
海苔が巻かれないお握りや、すでに海苔が巻かれた状態のお握りなどの調理米飯食品は、特許文献１〜特許文献３などに示すようなシート状のプラスチックフィルムで包装されている。また、封筒状のピロー包装体によって包装される場合もある。
【先行技術文献】
【特許文献】
【０００３】
【特許文献１】意匠登録第１２０３５４０号公報
【特許文献２】意匠登録第１２０４００８号公報
【特許文献３】実用新案登録第３１５２４５９号公報
【発明の概要】
【発明が解決しようとする課題】
【０００４】
特許文献１〜特許文献３などに示すシート状のプラスチックフィルムの場合、シートを折り畳みながら包装するので、作業に手間がかかる。専用の包装装置を使用すれば短時間で包装できるが、調理米飯食品の提供者の中には小規模な企業体の多く、そのような専用設備の導入は大きな負担となる。また、新しく普及しつつある調味米飯でさまざまな具材を米飯で包み、さらに外に海苔を巻いて、全体を平たく仕上げたものがある。このような調味米飯では具材の異なる多種類の商品を少数ずつ作る場合が多く、自動化された設備を使用するよりも手作業で包装するのが適している。
【０００５】
しかし、上述の通り、シート状のプラスチックフィルムによる包装を手作業で行うには手間がかかる。また、封筒状のピロー包装体でも口部を開いて食品を中に投入するのは面倒な作業である。
【０００６】
この発明は、中へ食品を投入するのが容易であり、包装に手間がかからず、開封時には簡単に開封できる食品包装袋を提供することを目的とする。
【課題を解決するための手段】
【０００７】
上記の課題を解決するために、この発明の食品包装袋は、略正方形状の２枚のプラスチックシートである第１シートおよび第２シートを重ね合わせており、第１辺およびこれに隣接する第２辺において辺に沿って第１シートと第２シートが接続されている辺部接続部と、第１辺と第２辺が交わる第１角部において頂部よりも内側で第１シートと第２シートが接続されている角部接続部と、第１角部の頂部において第１シートと第２シートが接続されていない非接続部と、第３辺およびこれに隣接する第４辺において第１シートと第２シートが接続されていない開口部とが設けられている。さらに、角部接続部は辺部接続部の端部につながりシートの外に向いて凸な凸部と、凸部の端部から頂部へ向かって形成されたシートの内に向いて凸な凹部とを有し、第１辺または第２辺のいずれかには第１シートまたは第２シートのいずれかが辺部の外に突き出た単層部を有することが好ましい。。
【発明の効果】
【０００８】
この発明の食品包装袋は、正方形の４辺のうち２辺が開口したラップ状であるために、内部への食品の投入が容易である。包装した時に、頂点部には第１シートおよび第２シートが接続されていない非接続部が形成されているので、ここから第１シートと第２シートを引きはがして簡単に大きく開封することができる。
【図面の簡単な説明】
【０００９】
【図１】食品包装袋を示す斜視図である。
【図２】同正面図である。
【図３】同背面図である。
【図４】同平面図である。
【図５】同底面図である。
【図６】同右側面図である。
【図７】同左側面図である。
【図８】同Ａ−Ａ端面図である。
【図９】同Ｂ−Ｂ端面図である。
【図１０】食品包装袋を束ねた状態を示す斜視図である。
【図１１】食品包装袋の使用状態を示す斜視図である。
【発明を実施するための形態】
【００１０】
本発明を実施するための形態について、図面に基づいて詳細に説明する。図１は食品包装袋を示す斜視図、図２は同正面図、図３は同背面図、図４は同平面図、図５は同底面図、図６は同右側面図、図７は同左側面図、図８は同Ａ−Ａ端面図、図９は同Ｂ−Ｂ端面図である。
【００１１】
食品包装袋１では第１シート２および第２シート３を重ね合わせている。第１シート２と第２シート３は食品包装用の薄いプラスチックシートであり、熱溶着により易剥離性の接着が行えるイージーピールフィルムよりなる。ほぼ同形の正方形であるが、本例においては正面図における手前側の第１シート２の右側が第２シート３よりも３〜５ｍｍ程度広がっている。
【００１２】
正方形の角部の一つを第１角部４とすると、その第１角部４で接する２つの辺をそれぞれ第１辺５、第２辺６とする。この第１辺５と第２辺６には第１シート２と第２シート３が接着された接続部が設けられている。一方、それ以外の２辺である第３辺７と第４辺８では第１シート２と第２シート３は接続されておらず、開口している。この構造はハンバーガー等の調理パンを包装するバーガーラップと呼ばれる紙製の包装材と共通する。
【００１３】
第１シート２と第２シート３の接続についてさらに説明する。第１辺５および第２辺６において第１角部４の反対側の端部から辺に沿って帯状に辺部接続部９が形成されている。この辺部接続部９は第１角部４の手前で終わっている。そして、辺部接続部９の終点部に続いて角部接続部１０が設けられている。この角部接続部１０は第１角部４の頂部よりも内側に形成されている。そして、第１角部の頂部において角部接続部１０の外側には第１シート２と第２シート３が接続されていない非接続部１１が設けられている。
【００１４】
辺部接続部９および角部接続部１０は易剥離性接着となっている。イージーピールシールとも呼ばれる接続であり、ある程度以上の力が加わらない時には剥離しないが、開封しようとして引き剥がそうとする力が加われば簡単に隔離するような接着状態である。イージーピールフィルムと呼ばれるプラスチックシート同士を重ねて熱圧着すれば、このような接続をすることができる。また、イージーピール性の接着剤によってもそのような接続をすることができる。
【００１５】
本例では角部接続部１０はさらに２つの部分に分けられる。第１辺５および第２辺６の辺部接続部９の端部につながっている部分は、つながりシートの外に向いて凸な曲線になっている凸部１０ａである。そして、凸部１０ａに続いて頂部へ向かった曲線である凹部１０ｂが形成されている。この凹部１０ｂはシートの内に向いて凸な曲線である。この構成により、頂部に最も近いところでは凹部１０ｂの端部同士が頂部に向いて突き出した形状になっている。頂部の非接続部１１より第１シート２と第２シート３を引き剥がそうとすると、この角部接続部１０の形状により角部接続部１０は確実に剥離し、剥離は第１辺５および第２辺６の辺部接続部９に進行していく。
【００１６】
また、本例では第１辺または第２辺のいずれかには第１シートまたは第２シートのいずれかが辺部の外に突き出た単層部１２が形成される。図２では第２辺６の外側に３〜５ｍｍ程度の幅で第１シートが突き出している。このように単層部を設けることにより、開封時に非接続部１１において第１シート２と第２シート３を開きやすくなる。
【００１７】
第１シート２および第２シート３はいずれも薄く透明なプラスチックフィルムである。辺部接続部９と角部接続部１０は接着の仕方によって若干半透明になる場合もあるが、おおむね透明と見てよい。したがって、食品包装袋１も印刷が施されていなければ全体的に透明である。
【００１８】
図２から図７に示す形態は、食品包装袋という物品においては新しいものであり、特に調理米飯食品用の包装袋としては斬新であり、意匠性が高い。
【００１９】
図１０は食品包装袋を束ねた状態を示す斜視図である。食品包装袋１は大きな連続シートから切り出して製造することができるが、切り出すときに第３辺７または第４辺８の外側まで第１シート２および第２シート３の延長部１３を設け、第３辺７または第４辺８に沿ってミシン目などの切断補助線を設けることができる。そして、延長部１３が上側になるようにそろえて複数の食品包装袋１を重ね、延長部１３の上辺を接着剤などで接続することによって食品包装袋１の集合体を得ることができる。また、延長部１３には吊り下げ用穴１４を設けている。
【００２０】
フックなどを吊り下げ用穴１４に通すことによって、食品包装袋の集合体を吊り下げることができる。使用時には、手前側の食品包装袋をつかみ、切断補助線に沿って切り外せば、図２などに示す食品包装袋１を一つ取り出すことができる。  
【００２１】
ついで、この食品包装袋を使用方法および食品包装袋を用いた包装食品について説明する。第３辺７および第４辺８は第１シート２と第２シート３が接続されていない開口部になっているので、ここを開いて包装対象の食品ｘを中に入れる。食品としては、調理パンや菓子でもよいが調理米飯が特に適している。図１０の例では、「おにぎらず」とよばれる海苔に包まれた具材入りの米飯を包装している。三角おにぎりよりも幅が広く、正面から見て略長方形の形状になっている。下側の２辺が開口するため、簡単に開くことができ、さらに食品の投入も容易である。開口が広いのでべたつきやすい米飯食品でも問題なく投入できる。
【００２２】
そして、開口部を閉じるようにしながら左右及び下側の余ったシート部分を折り畳んでいき、折り畳み端を粘着テープやシールで固定出ることにより、図１１に示す包装食品が得られる。店舗の棚に陳列するときも、図１１に示すように第１角部４を上に向けておけば、中の食品がよく見えるようになる。
【００２３】
さらに、包装食品の開封について説明する。頂部の非接続部１１は第１シート２と第２シート３が接続されていないので、それぞれのシートの角を指でつまむことができる。そして、第１シート２と第２シート３を相互に引き剥がすことにより、食品包装袋１の上部を開封する。頂部から始まる剥離は、角部接続部１０の凹部１０ｂにより左右に分かれて進行し、それぞれの剥離は凹部１０ａおよび辺部接続部に沿って進行して、大きな開口を形成する。易剥離性の接着であるため、簡単に開封することができ、シートの途中が破れるような不規則な開封もおこらない。
【００２４】
上部に形成された大きな開封口から中の食品を取り出してもよい。あるいは、下部のまだ開封されていない部分をつかみ、上部に表れた食品を食べてもよい。従来のラップで包装されたハンバーガー等の場合、食品を投入した開口部を再び開いて、この側から食品を食べるが、本発明の包装食品の場合は、その反対で上部側から食べることになる。開封した状態も従来のバーガーラップとは全く異なる外観となる。折り畳み端を固定しているシールをはがしたり折り畳み部を開いたりする必要はない。
【符号の説明】
【００２５】
１．食品包装袋
２．第１シート
３．第２シート
４．第１角部
５．第１辺
６．第２辺
７．第３辺
８．第４辺
９．辺部接続部
１０．角部接続部
１１．非接続部
１２．単層部
１３．延長部
１４．吊り下げ用穴
ｘ．食品
【図１】
2018020834.tif 000003
【図２】
2018020834.tif 000004
【図３】
2018020834.tif 000005
【図４】
2018020834.tif 000006
【図５】
2018020834.tif 000007
【図６】
2018020834.tif 000008
【図７】
2018020834.tif 000009
【図８】
2018020834.tif 000010
【図９】
2018020834.tif 000011
【図１０】
2018020834.tif 000012
【図１１】
2018020834.tif 000013